(57)【特許請求の範囲】
【請求項１】
下記一般式（１）で示されることを特徴とするキノフタロン化合物。
【化１】
0005267696.tif 000024
［一般式（１）中、Ｒ1〜Ｒ5は、それぞれ独立に、水素原子またはハロゲン原子を示し、Ｙは、ハロゲン原子、ヒドロキシル基、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基からなる群から選ばれた置換基を有してもよいナフチレン基を示し、Ｚは、ハロゲン原子、ヒドロキシル基、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基からなる群から選ばれた置換基を有してもよいフェニレン基を示す。］
【請求項２】
下記一般式（１Ａ）〜（１Ｃ）のいずれかであることを特徴とする請求項１記載のキノフタロン化合物。
【化２】
0005267696.tif 000025
【化３】
0005267696.tif 000026
【化４】
0005267696.tif 000027
［上記一般式（１Ａ）〜（１Ｃ）中、Ｒ6〜Ｒ10、Ｒ21〜Ｒ25、Ｒ36〜Ｒ40は、それぞれ独立に、水素原子またはハロゲン原子を示し、Ｒ11〜Ｒ20、Ｒ26〜Ｒ35、Ｒ41〜Ｒ50は、それぞれ独立に、水素原子、ハロゲン原子、ヒドロキシル基、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基を示す。］
【請求項３】
Ｒ11〜Ｒ20、Ｒ26〜Ｒ35、Ｒ41〜Ｒ50が、それぞれ独立に、水素原子またはハロゲン原子である請求項１または２に記載のキノフタロン化合物。
【請求項４】
請求項１〜３のいずれかに記載のキノフタロン化合物からなる顔料（ただし、カラーフィルタ用着色剤を除く）。
【発明の詳細な説明】
【技術分野】
【０００１】
本発明は、新規なキノフタロン化合物およびキノフタロン顔料に関するものである。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インキ、記録ペン等が盛んに利用されている。また、撮影機器ではＣＣＤ等の撮像素子において、ディスプレーではＬＣＤやＰＤＰ、有機エレクトロルミネッセンス、電子紙（電子ペーパー）におけるカラー画像を記録・再現するためにカラーフィルタが使用されている。これらのカラー画像記録材料やカラーフィルタでは、フルカラー画像を表示あるいは記録するために、いわゆる加法混色法や減法混色法の３原色の元素（染料や顔料）が使用されているが、好ましい色再現域を実現できる吸収特性や色彩的特性を有し、さまざまな使用条件に適合する色素がないのが実情であり、改善が強く望まれている。
【０００３】
上記の各用途で使用する黄色色素としては、その用途によって求められる色彩的特性や各用途に対する要求品質が異なるが、記録物の耐光性や耐熱性の観点から色素としては主に顔料が使用されており、例えば、カラーフィルタ用途では、Ｃ．Ｉ．ピグメントイエロー１３８、同１３９、同１５０、同１８５等が、インクジェット用インク用途やトナー用途ではＣ．Ｉ．ピグメントイエロー１、同１２、同１３、同１７、同６２、同６５、同７４、同８３、同９３、同９５、同１２８、同１５５、同１８０等が使用されている。
【０００４】
一方、従来、キノフタロン化合物としては、多くの化合物が知られているが、色素化合物、特に顔料として好適な、特に高彩度、高着色力で、高耐熱性、高耐光性などを兼ね備えた優れた化合物はあまり知られていない。
【０００５】
キノフタロン化合物としては、Ｃ．Ｉ．ピグメントイエロー１３８の分散を安定化するための顔料分散剤が知られている。例えば、特許文献１には、スルホン酸を含有したキノフタロン化合物が、特許文献２には、フタルイミドメチル基が付加したキノフタロン化合物が開示されている。ただし、これらはいずれも、Ｃ．Ｉ．ピグメントイエロー１３８の分散を容易にするための顔料分散剤であって、開示されている化合物が色素として有用であることを示すものではない。
【０００６】
また、キノフタロン化合物としては、Ｃ．Ｉ．ピグメントイエロー１３８の結晶を調製するための結晶化剤が知られている。例えば、特許文献３には、Ｃ．Ｉ．ピグメントイエロー１３８のキナルジン環部にスルホン酸やフタルイミドメチル基が付加したキノフタロン化合物が、特許文献４には、縮合しているフタル酸類が１つであるキナルジン誘導体およびナフタレン誘導体が開示されている。ただし、これらはいずれも、Ｃ．Ｉ．ピグメントイエロー１３８の結晶を調整するための結晶調製剤であって、開示されている化合物が色素として有用であることを示すものではない。
【０００７】
また、特許文献５には、下記化合物（１）を出発原料にしたキノフタロン化合物が、経時での分散安定性が改善された顔料組成物として開示されている。
【０００８】
【化５】
0005267696.tif 000002
【０００９】
また、特許文献６には、キノフタロン構造が２量体化した化合物を使用することにより、着色力、鮮明性などに優れた顔料組成物が得られるとの記載がある。
【００１０】
しかしながら、これらのキノフタロン化合物は、開示されている化合物が色素として有用であることを示すものではなく、また、その組成物においても着色力不足などの問題が十分には改善されていないのが現状である。
【００１１】
また、特許文献７〜９には、８−アミノキナルジンのアミノ基側に縮合している酸無水物がナフタレン環を有するキノフタロン化合物について開示されている。しかし、これらのアミノ基側にナフタレン環を有するキノフタロン顔料では、彩度や鮮明性等の色素としての特性がまだ不十分である。
【先行技術文献】
【特許文献】
【００１２】
【特許文献１】特開２００２−１７９９７９号公報
【特許文献２】特開２００８−９５００７号公報
【特許文献３】特表２００４−５０１９１１号公報
【特許文献４】特表２００６−５２７２９０号公報
【特許文献５】特開２００８−８１５６６号公報
【特許文献６】特開２００８−７４９８５号公報
【特許文献７】特開昭５１−１４７５４４号公報
【特許文献８】特開昭５１−１４６５４４号公報
【特許文献９】特開昭５１−１５０４３８号公報
【発明の概要】
【発明が解決しようとする課題】
【００１３】
本発明の課題は、着色力、色相等の色彩的特性に優れたキノフタロン化合物を提供することにある。
【課題を解決するための手段】
【００１４】
本発明者らは、前記諸問題を解決するために鋭意研究を重ねた結果、新規なキノフタロン化合物を得、これが色彩的特性に優れるものであることを見出し、本発明に至った。
【００１５】
すなわち、本発明は、下記一般式（１）で表されるキノフタロン化合物に関する。
【００１６】
【化６】
0005267696.tif 000003
【００１７】
［一般式（１）中、Ｒ1〜Ｒ5は、それぞれ独立に、水素原子またはハロゲン原子を示し、Ｙは、ハロゲン原子、ヒドロキシル基、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基からなる群から選ばれた置換基を有してもよいナフチレン基を示し、Ｚは、ハロゲン原子、ヒドロキシル基、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基からなる群から選ばれた置換基を有してもよいフェニレン基を示す。］
【００２０】
また、本発明は、下記一般式（１Ａ）〜（１Ｃ）のいずれかである前記キノフタロン化合物に関する。
【００２１】
【化７】
0005267696.tif 000004
【化８】
0005267696.tif 000005
【化９】
0005267696.tif 000006
【００２２】
［上記一般式（１Ａ）〜（１Ｃ）中、Ｒ6〜Ｒ10、Ｒ21〜Ｒ25、Ｒ36〜Ｒ40は、それぞれ独立に、水素原子またはハロゲン原子を示し、Ｒ11〜Ｒ20、Ｒ26〜Ｒ35、Ｒ41〜Ｒ50は、それぞれ独立に、水素原子、ハロゲン原子、ヒドロキシル基、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基を示す。］
【００２５】
また、本発明は、一般式（１Ａ）〜（１Ｃ）のＲ11〜Ｒ20、Ｒ26〜Ｒ37、Ｒ43〜Ｒ52が、それぞれ独立に、水素原子またはハロゲン原子である前記キノフタロン化合物に関する。
【００２６】
また、本発明は、前記キノフタロン化合物からなる顔料（ただし、カラーフィルタ用着色剤を除く）に関する。
【発明の効果】
【００２７】
本発明によれば、上記一般式（１）で表されるキノフタロン化合物は、彩度および着色力に優れた色素を提供することができる。
【図面の簡単な説明】
【００２８】
【図１】図１は、実施例１で製造したキノフタロン化合物（ａ）の赤外吸収スペクトルである。
【図２】図２は、実施例２で製造したキノフタロン化合物（ｂ）の赤外吸収スペクトルである。
【図３】図３は、実施例３で製造したキノフタロン化合物（ｃ）の赤外吸収スペクトルである。
【図４】図４は、実施例４で製造したキノフタロン化合物（ｄ）の赤外吸収スペクトルである。
【図５】図５は、実施例５で製造したキノフタロン化合物（ｅ）の赤外吸収スペクトルである。
【図６】図６は、実施例６で製造したキノフタロン化合物（ｆ）の赤外吸収スペクトルである。
【図７】図７は、実施例７で製造したキノフタロン化合物（ｇ）の赤外吸収スペクトルである。
【図８】図８は、実施例１２で製造したキノフタロン化合物（ｌ）の赤外吸収スペクトルである。
【発明を実施するための形態】
【００２９】
以下、本発明を詳細に説明する。なお、本明細書における「Ｃ．Ｉ．」とは、カラーインデックスを意味する。
【００３０】
＜キノフタロン化合物＞
本発明の一般式（１）で表されるキノフタロン化合物について説明する。まず、一般式（１）におけるＲ1〜Ｒ5の置換基について説明する。
【００３１】
ここで、ハロゲン原子としては、フッ素、塩素、臭素、ヨウ素が挙げられる。
【００３２】
また、置換基を有してもよいアルキル基としては、メチル基、エチル基、プロピル基、イソプロピル基、ブチル基、イソブチル基、ｔｅｒｔ−ブチル基、ネオペンチル基、ｎ−へキシル基、ｎ−オクチル基、ステアリル基、２−エチルへキシル基等の直鎖又は分岐アルキル基の他、トリクロロメチル基、トリフルオロメチル基、２，２，２−トリフルオロエチル基、２，２−ジブロモエチル基、２，２，３，３−テトラフルオロプロピル基、２−エトキシエチル基、２−ブトキシエチル基、２−ニトロプロピル基、ジエチルアミノエチル基、ベンジル基、４−メチルべンジル基、４−ｔｅｒｔ−ブチルベンジル基、４−メトキシベンジル基、４−ニトロベンジル基、２，４−ジクロロベンジル基等の置換基を有するアルキル基が挙げられる。
【００３３】
また、置換基を有してもよいアルコキシル基としては、メトキシ基、エトキシ基、プロポキシ基、イソプロポキシ基、ｎ−ブトキシ基、イソブチルオキシ基、ｔｅｒｔ−ブチルオキシ基、ネオペンチルオキシ基、２，３−ジメチル−３−ペントキシ基、ｎ−へキシルオキシ基、ｎ−オクチルオキシ基、ステアリルオキシ基、２−エチルへキシルオキシ基等の直鎖又は分岐アルコキシル基の他、トリクロロメトキシ基、トリフルオロメトキシ基、２，２，２−トリフルオロエトキシ基、２，２，３，３−テトラフルオロプロピルオキシ基、２，２−ジトリフルオロメチルプロポキシ基、２−エトキシエトキシ基、２−ブトキシエトキシ基、２−ニトロプロポキシ基、ベンジルオキシ基等の置換基を有するアルコキシル基が挙げられる。
【００３４】
また、置換基を有してもよいアリール基としては、フェニル基、ナフチル基、アントラニル基等のアリール基の他、ｐ−メチルフェニル基、ｐ−ブロモフェニル基、ｐ−ニトロフェニル基、ｐ−メトキシフェニル基、２，４−ジクロロフェニル基、ペンタフルオロフェニル基、２−アミノフェニル基、２−メチル−４−クロロフェニル基、４−ヒドロキシ−１−ナフチル基、６−メチル−２−ナフチル基、４，５，８−トリクロロ−２−ナフチル基、アントラキノニル基、２−アミノアントラキノニル基等の置換基を有するアリール基が挙げられる。
【００３５】
また、酸性基としては、−ＳＯ3Ｈ、−ＣＯＯＨが挙げられ、これら酸性基の１価〜３価の金属塩としては、ナトリウム塩、カリウム塩、マグネシウム塩、カルシウム塩、鉄塩、アルミニウム塩等が挙げられる。また、酸性基のアルキルアンモニウム塩としては、オクチルアミン、ラウリルアミン、ステアリルアミン等の長鎖モノアルキルアミンのアンモニウム塩、パルミチルトリメチルアンモニウム、ラウリルトリメチルアンモニウム、ジラウリルジメチルアンモニウム、ジステアリルジメチルアンモニウム塩等の４級アルキルアンモニウム塩が挙げられる。
【００３６】
置換基を有してもよいフタルイミドメチル基（Ｃ6Ｈ4（ＣＯ）2Ｎ−ＣＨ2−）、および、置換基を有してもよいスルファモイル基（Ｈ2ＮＳＯ2−）における「置換基」としては、上記のハロゲン原子、置換基を有してもよいアルキル基、置換基を有しても良いアルコキシル基、置換基を有してもよいアリール基等が挙げられる。
【００３７】
また、一般式（１）におけるＹで表わされるナフチレン基の置換基としては、ハロゲン原子、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基が挙げられるが、これらは、上記Ｒ1〜Ｒ5で説明した置換基と同義である。
【００３８】
また、一般式（１）におけるＺで表わされるアリーレン基の置換基としては、ハロゲン原子、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、並びに置換基を有しても良いスルファモイル基が挙げられるが、これらは、上記Ｒ1〜Ｒ5で説明した置換基と同義である。
【００３９】
上記の置換基の内、好ましい置換基としては、ハロゲン原子、置換基を有しても良いアルキル基、置換基を有しても良いアルコキシル基、置換基を有しても良いアリール基、−ＳＯ3Ｈ、−ＣＯＯＨ、フタルイミドメチル基、置換基を有しても良いスルファモイル基が挙げられ、より好ましい置換基としては、ハロゲン原子、置換基を有しても良いアルキル基、置換基を有しても良いアルコキシル基が挙げられ、さらに好ましい置換基としては、ハロゲン原子が挙げられる。
【００４０】
さらに、本発明のキノフタロン化合物は、一般式（１Ａ）〜（１Ｃ）のいずれかであることが好ましい。ここで、Ｒ6〜Ｒ20、Ｒ21〜Ｒ35、Ｒ36〜Ｒ50における、ハロゲン原子、置換基を有しても良いアルキル基、置換基を有しても良いアルコキシル基、置換基を有しても良いアリール基、−ＳＯ3Ｈ；−ＣＯＯＨ；およびこれら酸性基の１価〜３価の金属塩；アルキルアンモニウム塩、置換基を有しても良いフタルイミドメチル基、または置換基を有しても良いスルファモイル基は、一般式（１）で説明した基と同義である。
【００４１】
また、本発明のキノフタロン化合物は、一般式（１Ａ）〜（１Ｃ）のＲ6〜Ｒ20、Ｒ21〜Ｒ35、Ｒ36〜Ｒ50が、水素原子、ハロゲン原子、置換基を有しても良いアルキル基、置換基を有しても良いアルコキシル基、置換基を有しても良いアリール基、−ＳＯ3Ｈ、−ＣＯＯＨ、フタルイミドメチル基、置換基を有しても良いスルファモイル基であることがより好ましく、さらに水素原子、ハロゲン原子、置換基を有しても良いアルキル基、置換基を有しても良いアルコキシル基であることがより好ましく、さらに水素原子またはハロゲン原子であることがより好ましい。
【００４２】
本発明のキノフタロン化合物の具体例として、下記に示すキノフタロン化合物（ａ）〜（ｙ）等が挙げられるが、本発明はこれらに限定されるものではない。
【００４３】
【化１０】
0005267696.tif 000007
【００４４】
【化１１】
0005267696.tif 000008
【００４５】
【化１２】
0005267696.tif 000009
【００４６】
【化１３】
0005267696.tif 000010
【００４７】
＜キノフタロン化合物の製造法＞
本発明で使用されるキノフタロン化合物は、例えば、以下のような方法によって製造することができる。以下、一般式（１）で表されるキノフタロン化合物の一般的な製造法について述べる。まず、下記一般式（２）で表される８−アミノキナルジン類１当量に対して、下記一般式（３）で表されるナフタレンジカルボン酸無水物類もしくは無水ナフタル酸類２〜３当量を、安息香酸中、窒素雰囲気下、１６０〜２００℃で加熱して縮合反応させることで、下記一般式（４）で表される化合物を得ることができる。
【００４８】
【化１４】
0005267696.tif 000011
【００４９】
［式中、Ｒ51〜Ｒ55は、一般式（１）におけるＲ1〜Ｒ5と同義である。］
【００５０】
【化１５】
0005267696.tif 000012
【００５１】
［式中、Ｙは、一般式（１）におけるＹと同義である。］
【００５２】
【化１６】
0005267696.tif 000013
【００５３】
［式中、Ｒ56〜Ｒ60およびＹは、一般式（１）におけるＲ1〜Ｒ5およびＹと同義である。］
【００５４】
つづいて、上記一般式（４）で表される化合物を、水酸化カリウム水溶液中で６０℃〜１００℃で加熱することで、下記一般式（５）で表される化合物を得ることができる。
【００５５】
【化１７】
0005267696.tif 000014
【００５６】
［式中、Ｒ61〜Ｒ65およびＹは、一般式（１）におけるＲ1〜Ｒ5およびＹと同義である。］
【００５７】
つづいて、上記一般式（５）で表される化合物１当量に対して、下記一般式（６）で表される無水フタル酸類１〜２当量を、安息香酸中、窒素雰囲気下、１６０〜２００℃で加熱して縮合反応させることで、一般式（１）で表されるキノフタロン化合物を得ることができる。ただし、キノフタロン化合物の製造方法はこれらの方法に限定されるものではない。
【００５８】
【化１８】
0005267696.tif 000015
【００５９】
［式中、Ｚは、一般式（１）におけるＺと同義である。］
【００６０】
本発明のキノフタロン化合物は、その使用用途に合わせて、２種類以上のキノフタロン化合物を併用してもよい。このとき別々に製造したキノフタロン化合物同士を混合しても良いし、同時に２種類以上のキノフタロン化合物を合成することによって製造して、使用しても良い。
【００６１】
＜キノフタロン化合物の顔料化＞
本発明のキノフタロン化合物は、その置換基の種類によって顔料の性質を示すことがある。キノフタロン化合物が顔料の性質を示す場合、ソルトミリング処理等の方法により、顔料粒子の微細化および整粒を施すことにより、顔料としてより好適に使用することができる。好ましい顔料の一次粒子径は、使用する用途によって異なるが、１０ｎｍ以上であることが好ましく、また、１００ｎｍ以下であることが好ましい。特に好ましい範囲は、２０〜８０ｎｍの範囲である。
【００６２】
ソルトミリング処理とは、キノフタロン化合物と水溶性無機塩と水溶性有機溶剤との混合物を、ニーダー、２本ロールミル、３本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用してキノフタロン化合物が破砕される。キノフタロン化合物をソルトミリング処理する際の条件を最適化することにより、一次粒子径が非常に微細であり、また、分布の幅がせまく、シャープな粒度分布をもつ顔料を得ることができる。
【００６３】
水溶性無機塩としては、塩化ナトリウム、塩化バリウム、塩化カリウム、硫酸ナトリウム等を用いることができるが、価格の点から塩化ナトリウム（食塩）を用いるのが好ましい。水溶性無機塩は、処理効率と生産効率の両面から、キノフタロン化合物１００重量部に対して、５０〜２０００重量部用いることが好ましく、３００〜１０００重量部用いることが最も好ましい。
【００６４】
水溶性有機溶剤は、顔料及び水溶性無機塩を湿潤する働きをするものであり、水に溶解（混和）し、かつ用いる無機塩を実質的に溶解しないものであれば特に限定されない。ただし、ソルトミリング時に温度が上昇し、溶剤が蒸発し易い状態になるため、安全性の点から、沸点１２０℃以上の高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、液状のポリプロピレングリコール等が用いられる。水溶性有機溶剤は、キノフタロン化合物１００重量部に対して、５〜１０００重量部用いることが好ましく、５０〜５００重量部用いることが最も好ましい。
【００６５】
キノフタロン化合物をソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、キノフタロン化合物１００重量部に対して、２〜２００重量部の範囲であることが好ましい。
【実施例】
【００６６】
以下に、本発明を実施例に基づいて説明するが、本発明はこれによって限定されるものではない。実施例中、特に断りの無い限り「部」とは「質量部」を意味する。
【００６７】
実施例に先だって、本発明のキノフタロン化合物の同定方法について説明する。
【００６８】
（キノフタロン化合物の同定方法）
本発明のキノフタロン化合物の同定は、元素分析、赤外吸収スペクトル、およびＭＡＬＤＩ  ＴＯＦ−ＭＳスペクトルを用いた。元素分析は、パーキン・エルマー社製  ２４００  ＣＨＮ  Ｅｌｅｍａｎｔ  Ａｎａｌｙｚｅｒを用いた。赤外吸収スペクトルは日本分光（株）社製のフーリエ変換赤外分光光度計ＦＴ／ＩＲ−４１０を使用して、分解能２ｃｍ−１、ＫＢｒ錠剤法にて測定した。ＭＡＬＤＩ  ＴＯＦ−ＭＳスペクトルは、ブルカー・ダルトニクス社製ＭＡＬＤＩ質量分析装置ａｕｔｏｆｌｅｘIIIを用い、得られたマススペクトラムの分子イオンピークと、計算によって得られる質量数との一致をもって、得られた化合物の同定を行った。
【００６９】
［実施例１］
（キノフタロン化合物（ａ）の製造）
安息香酸メチル１００部に、８−アミノキナルジン４０部、２，３−ナフタレンジカルボン酸無水物１１５部、安息香酸１５４部を加え、１８０℃に加熱し、水を留去しながら６時間攪拌を行った。室温まで冷却後、反応混合物をメタノール１２００部に投入し、室温下にて１時間攪拌した。析出した結晶を濾別した後、さらにメタノールで洗浄を行い、減圧下で乾燥させた。つづいて、上記生成物に、水９００部、水酸化カリウム１５０部を加え、９０℃に加熱し、１６時間撹拌を行った。室温まで冷却後、３６％塩酸２００部を滴下した。析出した結晶を濾別した後、さらにメタノールで洗浄を行い、減圧下で乾燥させた。つづいて上記生成物を、安息香酸メチル３００部に加え、さらにテトラクロロ無水フタル酸８７部、安息香酸１２３部を加え、１８０℃に加熱し、水を留去しながら５時間攪拌を行った。室温まで冷却後、反応混合物をメタノール１２００部に投入し、室温下にて１時間攪拌した。析出した結晶を濾別した後、さらにメタノールで洗浄を行い、減圧下で乾燥させ、キノフタロン化合物（ａ）１４１部（収率：９２％）を得た。ＴＯＦ−ＭＳによる質量分析および元素分析の結果、キノフタロン化合物（ａ）であることを同定した。キノフタロン化合物（ａ）の赤外吸収スペクトルを図１に示す。なお、得られたキノフタロン化合物（ａ）は、水、メタノール、ブタノールに溶解しないことを確認し、顔料であることを確認した。
【００７０】
［実施例２］
（キノフタロン化合物（ｂ）の製造）
実施例１で使用した２，３−ナフタレンジカルボン酸無水物１１５部の代わりに、１，２−ナフタル酸無水物１１５部を使用した以外は、実施例１と同様の操作を行い、キノフタロン化合物（ｂ）１３８部（収率：９０％）を得た。ＴＯＦ−ＭＳによる質量分析および元素分析の結果、キノフタロン化合物（ｂ）であることを同定した。キノフタロン化合物（ｂ）の赤外吸収スペクトルを図２に示す。なお、得られたキノフタロン化合物（ｂ）は、水、メタノール、ブタノールに溶解しないことを確認し、顔料であることを確認した。
【００７１】
［実施例３］
（キノフタロン化合物（ｃ）の製造）
実施例１で使用した２，３−ナフタレンジカルボン酸無水物１１５部の代わりに、１，８−ナフタル酸無水物１１５部を使用した以外は、実施例１と同様の操作を行い、キノフタロン化合物（ｃ）１３６部（収率：８９％）を得た。ＴＯＦ−ＭＳによる質量分析および元素分析の結果、キノフタロン化合物（ｃ）であることを同定した。キノフタロン化合物（ｃ）の赤外吸収スペクトルを図３に示す。なお、得られたキノフタロン化合物（ｃ）は、水、メタノール、ブタノールに溶解しないことを確認し、顔料であることを確認した。
【００７２】
［実施例４］
（キノフタロン化合物（ｄ）の製造）
実施例１で使用したテトラクロロ無水フタル酸８７部の代わりに、テトラブロモ無水フタル酸１４１部を使用した以外は、実施例１と同様の操作を行い、キノフタロン化合物（ｄ）１８２部（収率：９２％）を得た。ＴＯＦ−ＭＳによる質量分析および元素分析の結果、キノフタロン化合物（ｄ）であることを同定した。キノフタロン化合物（ｄ）の赤外吸収スペクトルを図４に示す。なお、得られたキノフタロン化合物（ｄ）は、水、メタノール、ブタノールに溶解しないことを確認し、顔料であることを確認した。
【００７３】
［実施例５］
（キノフタロン化合物（ｅ）の製造）
実施例１で使用したテトラクロロ無水フタル酸８７部の代わりに、テトラフルオロ無水フタル酸６７部を使用した以外は、実施例１と同様の操作を行い、キノフタロン化合物（ｅ）１２６部（収率：９２％）を得た。ＴＯＦ−ＭＳによる質量分析および元素分析の結果、キノフタロン化合物（ｅ）であることを同定した。キノフタロン化合物（ｅ）の赤外吸収スペクトルを図５に示す。なお、得られたキノフタロン化合物（ｅ）は、水、メタノール、ブタノールに溶解しないことを確認し、顔料であることを確認した。
【００７４】
［実施例６］
（キノフタロン化合物（ｆ）の製造）
実施例１で使用したテトラクロロ無水フタル酸８７部の代わりに、３，４−ジクロロ無水フタル酸６６部を使用した以外は、実施例１と同様の操作を行い、キノフタロン化合物（ｆ）１２４部（収率：９１％）を得た。ＴＯＦ−ＭＳによる質量分析および元素分析の結果、キノフタロン化合物（ｆ）であることを同定した。キノフタロン化合物（ｆ）の赤外吸収スペクトルを図６に示す。なお、得られたキノフタロン化合物（ｆ）は、水、メタノール、ブタノールに溶解しないことを確認し、顔料であることを確認した。
【００７５】
［実施例７］
（キノフタロン化合物（ｇ）の製造）
実施例１で使用したテトラクロロ無水フタル酸８７部の代わりに、無水トリメリット酸５８部を使用した以外は、実施例１と同様の操作を行い、キノフタロン化合物（ｇ）１１９部（収率：９２％）を得た。ＴＯＦ−ＭＳによる質量分析および元素分析の結果、キノフタロン化合物（ｇ）であることを同定した。キノフタロン化合物（ｇ）の赤外吸収スペクトルを図７に示す。なお、得られたキノフタロン化合物（ｇ）は、水、メタノール、ブタノールに溶解しないことを確認し、顔料であることを確認した。
【００７６】
［実施例８］
（キノフタロン化合物（ｈ）の製造）
実施例１で使用したテトラクロロ無水フタル酸８７部の代わりに、４−メチル無水フタル酸４９部を使用した以外は、実施例１と同様の操作を行い、キノフタロン化合物（ｈ）１１１部（収率：９１％）を得た。ＴＯＦ−ＭＳによる質量分析および元素分析の結果、キノフタロン化合物（ｈ）であることを同定した。なお、得られたキノフタロン化合物（ｈ）は、水、メタノール、ブタノールに溶解しないことを確認し、顔料であることを確認した。
【００７７】
［実施例９］
（キノフタロン化合物（ｉ）の製造）
実施例１で使用したテトラクロロ無水フタル酸８７部の代わりに、４−トリフルオロメチルフタル酸７１部を使用した以外は、実施例１と同様の操作を行い、キノフタロン化合物（ｉ）１２４部（収率：９２％）を得た。ＴＯＦ−ＭＳによる質量分析および元素分析の結果、キノフタロン化合物（ｉ）であることを同定した。なお、得られたキノフタロン化合物（ｉ）は、水、メタノール、ブタノールに溶解しないことを確認し、顔料であることを確認した。
【００７８】
［実施例１０］
（キノフタロン化合物（ｊ）の製造）
実施例１で使用したテトラクロロ無水フタル酸８７部の代わりに、４−メトキシフタル酸６０部を使用した以外は、実施例１と同様の操作を行い、キノフタロン化合物（ｊ）１１６部（収率：９２％）を得た。ＴＯＦ−ＭＳによる質量分析および元素分析の結果、キノフタロン化合物（ｊ）であることを同定した。なお、得られたキノフタロン化合物（ｊ）は、水、メタノール、ブタノールに溶解しないことを確認し、顔料であることを確認した。
【００７９】
［実施例１１］
（キノフタロン化合物（ｋ）の製造）
実施例１で使用したテトラクロロ無水フタル酸８７部の代わりに、４−ヒドロキシフタル酸５５部を使用した以外は、実施例１と同様の操作を行い、キノフタロン化合物（ｋ）１０９部（収率：８９％）を得た。ＴＯＦ−ＭＳによる質量分析および元素分析の結果、キノフタロン化合物（ｋ）であることを同定した。なお、得られたキノフタロン化合物（ｋ）は、水、メタノール、ブタノールに溶解しないことを確認し、顔料であることを確認した。
【００８０】
［実施例１２］
（キノフタロン化合物（ｌ）の製造）
実施例１で使用したテトラクロロ無水フタル酸８７部の代わりに、４−スルホフタル酸水溶液（５０％）１４９部を使用した以外は、実施例１と同様の操作を行い、キノフタロン化合物（ｌ）１２１部（収率：８７％）を得た。ＴＯＦ−ＭＳによる質量分析および元素分析の結果、キノフタロン化合物（ｌ）であることを同定した。キノフタロン化合物（ｌ）の赤外吸収スペクトルを図８に示す。
【００８１】
［実施例１３］
（キノフタロン化合物（ｍ）の製造）
実施例１で使用した８−アミノキナルジン４０部の代わりに、６−ブロモ−８−アミノキナルジン６０部を使用した以外は、実施例１と同様の操作を行い、キノフタロン化合物（ｍ）１５９部（収率：９２％）を得た。ＴＯＦ−ＭＳによる質量分析および元素分析の結果、キノフタロン化合物（ｍ）であることを同定した。なお、得られたキノフタロン化合物（ｍ）は、水、メタノール、ブタノールに溶解しないことを確認し、顔料であることを確認した。
【００８２】
［実施例１４］
（キノフタロン化合物（ｎ）の製造）
実施例１で使用した８−アミノキナルジン４０部の代わりに、７−フルオロ−８−アミノキナルジン４５部を使用した以外は、実施例１と同様の操作を行い、キノフタロン化合物（ｎ）１４４部（収率：９１％）を得た。ＴＯＦ−ＭＳによる質量分析および元素分析の結果、キノフタロン化合物（ｎ）であることを同定した。なお、得られたキノフタロン化合物（ｎ）は、水、メタノール、ブタノールに溶解しないことを確認し、顔料であることを確認した。
【００８３】
［実施例１５］
（キノフタロン化合物（ｏ）の製造）
実施例１で使用した８−アミノキナルジン４０部の代わりに、４−ヒドロキシ−８−アミノキナルジン４４部を使用した以外は、実施例１と同様の操作を行い、キノフタロン化合物（ｏ）１４３部（収率：９１％）を得た。ＴＯＦ−ＭＳによる質量分析および元素分析の結果、キノフタロン化合物（ｏ）であることを同定した。なお、得られたキノフタロン化合物（ｏ）は、水、メタノール、ブタノールに溶解しないことを確認し、顔料であることを確認した。
【００８４】
［実施例１６］
（キノフタロン化合物（ｐ）の製造）
実施例１で使用した８−アミノキナルジン４０部の代わりに、６−メチル−８−アミノキナルジン４４部を使用した以外は、実施例１と同様の操作を行い、キノフタロン化合物（ｐ）１４４部（収率：９２％）を得た。ＴＯＦ−ＭＳによる質量分析および元素分析の結果、キノフタロン化合物（ｐ）であることを同定した。なお、得られたキノフタロン化合物（ｐ）は、水、メタノール、ブタノールに溶解しないことを確認し、顔料であることを確認した。
【００８５】
［実施例１７］
（キノフタロン化合物（ｑ）の製造）
実施例１で使用した８−アミノキナルジン４０部の代わりに、６−トリフルオロメチル−８−アミノキナルジン５７部を使用した以外は、実施例１と同様の操作を行い、キノフタロン化合物（ｑ）１５３部（収率：９０％）を得た。ＴＯＦ−ＭＳによる質量分析および元素分析の結果、キノフタロン化合物（ｑ）であることを同定した。なお、得られたキノフタロン化合物（ｑ）は、水、メタノール、ブタノールに溶解しないことを確認し、顔料であることを確認した。
【００８６】
［実施例１８］
（キノフタロン化合物（ｒ）の製造）
実施例１で使用した８−アミノキナルジン４０部の代わりに、６−メトキシ−８−アミノキナルジン４８部を使用した以外は、実施例１と同様の操作を行い、キノフタロン化合物（ｒ）１４９部（収率：９１％）を得た。ＴＯＦ−ＭＳによる質量分析および元素分析の結果、キノフタロン化合物（ｒ）であることを同定した。なお、得られたキノフタロン化合物（ｒ）は、水、メタノール、ブタノールに溶解しないことを確認し、顔料であることを確認した。
【００８７】
［実施例１９］
（キノフタロン化合物（ｓ）の製造）
実施例１２で得られたキノフタロン化合物（ｌ）２０部にクロロホルム３００部を加え、氷冷下で塩化オキサリル４．４部、Ｎ，Ｎ−ジメチルホルムアミド1部を添加して、５０℃で２時間攪拌した。反応混合液を氷浴中で水５００部に加え、析出した結晶をろ過して下記キノフタロン化合物（ｓ’）１９部（収率：９０％）を得た。
【００８８】
【化１９】
0005267696.tif 000016
【００８９】
つづいて、キノフタロン化合物（ｓ’）１５部にクロロホルム２００部を加え、氷冷下でジエチルアミノエチルアミン３．４部を添加し、室温で２時間攪拌した。反応混合液を水３５０部に加え、析出した結晶をろ過して水洗し、８０℃で一昼夜乾燥させ、キノフタロン化合物（ｓ）１５部（収率：８８％）を得た。ＴＯＦ−ＭＳによる質量分析および元素分析の結果、キノフタロン化合物（ｓ）であることを同定した。
【００９０】
［実施例２０］
（キノフタロン化合物（ｔ）の製造）
実施例１２で得られたキノフタロン化合物（ｌ）２０部をメタノール３００部に加えて撹拌し溶解させた。さらに、モノラウリルトリメチルアンモニウムクロライド（花王社製コータミン２４Ｐ；カチオン部分の分子量が２２８）モル当量分を徐々に添加し、析出した結晶をろ過して水洗し、８０℃で一昼夜乾燥させ、キノフタロン化合物（ｔ）２６部（収率：９１％）を得た。ＴＯＦ−ＭＳによる質量分析および元素分析の結果、キノフタロン化合物（ｔ）であることを同定した。
【００９１】
［実施例２１］
（キノフタロン化合物（ｕ）の製造）
実施例１２で得られたキノフタロン化合物（ｌ）２０部をメタノール３００部に加えて撹拌し溶解させた。さらに、１０％塩化カルシウム水溶液モル当量分を徐々に添加し、析出した結晶をろ過して水洗し、８０℃で一昼夜乾燥させ、キノフタロン化合物（ｕ）１８部（収率：８９％）を得た。ＴＯＦ−ＭＳによる質量分析および元素分析の結果、キノフタロン化合物（ｕ）であることを同定した。
【００９２】
［実施例２２］
（キノフタロン化合物（ｖ）の製造）
実施例１で得られたキノフタロン化合物（ａ）４４部を９５％硫酸５４０部に溶解し、これに３８部のＮ−ヒドロキシメチルフタルイミドを添加し、８５℃にて７時間攪拌した。冷却後、この反応溶液を氷水３６００部中に滴下し、析出したキノフタロン化合物を瀘別、水洗してそのペーストを得た。得られたペーストを、水５０００部に再分散し、室温下にて１時間攪拌した。濾別、水洗後、８０℃で一昼夜乾燥させ、キノフタロン化合物（ｖ）５２部（収率：９３％）を得た。ＴＯＦ−ＭＳによる質量分析および元素分析の結果、キノフタロン化合物（ｖ）であることを同定した。
【００９３】
［実施例２３］
（キノフタロン化合物（ｗ）の製造）
実施例１で得られたキノフタロン化合物（ａ）２６部を無水塩化アルミニウム１１０部、塩化ナトリウム２５部、無水塩化第二鉄１．３部を１５０℃に撹拌加熱している中に加える。１８０〜２００℃で約２０時間塩素ガスを通じた後、熔融物を水１５００部中に注入し、析出したキノフタロン化合物を瀘別、水洗後、８０℃で一昼夜乾燥させ、キノフタロン化合物（ｗ）３３部（収率：９４％）を得た。ＴＯＦ−ＭＳによる質量分析および元素分析の結果、キノフタロン化合物（ｗ）であることを同定した。なお、得られたキノフタロン化合物（ｗ）は、水、メタノール、ブタノールに溶解しないことを確認し、顔料であることを確認した。
【００９４】
［実施例２４］
（キノフタロン化合物（ｘ）の製造）
実施例１で得られたキノフタロン化合物（ａ）２６部を９８％硫酸２１４部と２５％発煙硫酸２３６部中に溶解し、８５℃にて２時間攪拌し、スルホン化反応を行った。次いで、この反応溶液を氷水３０００部中に滴下し、析出したキノフタロン化合物を瀘別、水洗してそのペーストを得た。得られたペーストを、水８０００部に再分散し、室温下にて１時間攪拌した。濾別、水洗後、８０℃で一昼夜乾燥させ、キノフタロン化合物（ｘ）２６部（収率：８９％）を得た。ＴＯＦ−ＭＳによる質量分析および元素分析の結果、キノフタロン化合物（ｘ）であることを同定した。
【００９５】
［実施例２５］
（キノフタロン化合物（ｙ）の製造）
実施例２４で得られたキノフタロン化合物（ｘ）２５部にクロロホルム３００部を加え、氷冷下で塩化オキサリル４．４部、Ｎ，Ｎ−ジメチルホルムアミド1部を添加して、５０℃で２時間攪拌した。反応混合液を氷浴中で水５００部に加え、析出した結晶をろ過して下記キノフタロン化合物（ｙ’）２３部（収率：９１％）を得た。
【００９６】
【化２０】
0005267696.tif 000017
【００９７】
つづいて、キノフタロン化合物（ｘ’）１８部にクロロホルム２００部を加え、氷冷下でジエチルアミノエチルアミン３．３部を添加し、室温で２時間攪拌した。反応混合液を水３５０部に加え、析出した結晶をろ過して水洗し、８０℃で一昼夜乾燥させ、キノフタロン化合物（ｘ）１８部（収率：８９％）を得た。ＴＯＦ−ＭＳによる質量分析および元素分析の結果、キノフタロン化合物（ｘ）であることを同定した。
【００９８】
以上、実施例１〜２５で合成したキノフタロン化合物において、質量分析および元素分析を行った結果を表１および表２に示す。
【００９９】
【表１】
0005267696.tif 000018
【０１００】
【表２】
0005267696.tif 000019
【０１０１】
以下に、本発明により得られるキノフタロン化合物を産業的に使用する例として、トナーにおける使用を参考例として説明するが、本発明のキノフタロン化合物を産業的に使用する形態はこれによって限定されるものではない。参考例および比較例中、特に断りの無い限り「部」とは「質量部」を意味する。また、「ＰＹ」とは、カラーインデックスの「ピグメントイエロー」を意味する。
【０１０２】
参考例１〜２５、比較例１〜５
（粉砕法トナー）
実施例１〜２５で製造した各キノフタロン化合物を用い、スチレン−アクリル酸共重合体（ハイマーＳＢＭ１００、三洋化成工業社製）１００部、キノフタロン化合物５部をボールミルにて撹拌混合後、溶融混練、冷却し、粉砕分級して粉砕法トナーを得た。比較例１〜５として、表３に示す公知の顔料を用いて同様に粉砕法トナーを得た。
【０１０３】
参考例２６〜５０、比較例６〜１０
（凝集法トナー）
実施例１〜２５で製造した各キノフタロン化合物を用い、下記の方法により凝集法トナーを製造した。比較例６〜１０として、表４に示す公知の顔料を用いて同様に凝集法トナーを得た。
【０１０４】
（１）着色剤分散液の製造
各キノフタロン化合物２０部のそれぞれにイオン交換水８０部、ドデシルベンゼンスルホン酸ナトリウム（ネオペレックスＧ−１５、花王社製）３部を添加し、機械式分散にて分散処理して各化合物の着色分散液を得た。
【０１０５】
（２）ポリマー乳化液の製造
反応器に、エステルワックスエマルジョン３３０部（（ＳＥＬＯＳＯＬ  Ｒ−５８６、中京油脂社製）固形分として）、イオン交換水１３０００部を入れ、９０℃に昇温し、アルキルベンゼンスルホン酸塩３部、スチレン２５００部、ｎ−ブチルアクリレート６５０部、メタクリル酸１７０部、８％過酸化水素水溶液３３０部、８％アスコルビン酸水溶液３３０部を添加した。９０℃で７時間反応を継続してポリマー乳化液を得た。
【０１０６】
（３）トナーの製造
上記ポリマー乳化液１５０部に、着色分散液９．５部を注入し混合撹拌した。この中に、０．５％の硫酸アルミニウム溶液４０部を撹拌しながら注入した。６０℃に昇温し、２時間撹拌を継続し、ろ過、洗浄、乾燥し、凝集法トナーを得た。
【０１０７】
参考例５１〜７５、比較例１１〜１５
（懸濁重合法トナー）
実施例１〜２５で製造した各キノフタロン化合物を用い、下記の方法により懸濁重合法トナーを製造した。比較例１１〜１５として、表５に示す公知の顔料を用いて同様に懸濁重合法トナーを得た。
【０１０８】
（１）水系分散媒体の製造
反応器に、イオン交換水７１０部と０．１モル／リットルの燐酸三ナトリウム水溶液４５０部を加えて６５℃に加温し、１．０モル／リットルの塩化カルシウム水溶液６８部を徐々に加え、コロイド状燐酸カルシウムを含む分散液を含む水系分散媒体を調整した。
【０１０９】
（２）トナーの製造
スチレンモノマー１６５部、ｎ−ブチルアクリレート３５部にキノフタロン化合物１４部を加えてサンドグライダーで分散させた分散液にエステルワックス（カルナウバロウワックス（加藤洋行社製、融点８５℃））３０部を加え、８０℃で溶解させた。次いで、ｎ−オクチル−３−メルカプトプロピオン酸エステルを２部、重合開始剤として２，２’−アゾビス（２，４−ジメチルバレロニトリル）１１部を加えたものを前記水系分散媒体中に撹拌しながら徐々に加え、水中にモノマーを含む溶液を分散させた。次いで、６５℃、１０時間重合反応を行った。ｐＨ調整、ろ過、洗浄、乾燥し懸濁重合法トナーを得た。
【０１１０】
（トナーの評価）
上記各参考例、比較例で得られたトナーのそれぞれ５０部に疎水性シリカ０．３部を外添し、電子写真プリンターで以下の方法で評価を行った。また、凝集法トナーおよび懸濁重合法トナーにおいては、着色剤の分散性と分散液の安定性も併せて評価した。評価結果を表３〜５に示す。
【０１１１】
〈透明性〉
ベタ画像をＯＨＰシート上にプリントし、画像の透明性を観察した。評価基準は下記の通りである。
Ａ：良好、  Ｂ：やや悪い、  Ｃ：不良
【０１１２】
〈着色力〉
ベタ画像をＯＨＰシート上にプリントし、画像の着色力を観察した。評価基準は下記の通りである。
Ａ：良好、  Ｂ：やや悪い、  Ｃ：不良
【０１１３】
〈分散性〉
分散媒への色素の分散性を観察した。評価基準は下記の通りである。
Ａ：良好、  Ｂ：やや悪い、  Ｃ：不良
〈分散安定性〉
色素の凝集や沈降がなく、経時で安定した分散状態を有するか否かを観察した。評価基準は下記の通りである。
Ａ：良好、  Ｂ：やや悪い、  Ｃ：不良
【０１１４】
なお、表３〜５中のキノフタロン化合物（ｚ）は、下記の構造式で示される化合物である。
【０１１５】
【化２１】
0005267696.tif 000020
【０１１６】
【表３】
0005267696.tif 000021
【０１１７】
表３に示す通り、参考例と比較して、比較例では粉砕法トナー製造において透明性と着色力が劣る。
【０１１８】
【表４】
0005267696.tif 000022
【０１１９】
表４に示す通り、参考例と比較して、比較例では凝集法トナー製造において分散性、分散液安定性が悪く、透明性と着色力でも劣る。
【０１２０】
【表５】
0005267696.tif 000023
【０１２１】
表５に示す通り、参考例と比較して、比較例では懸濁重合法トナー製造において分散性、分散液安定性が悪く、透明性と着色力でも劣る。
【要約】      （修正有）【課題】色彩的特性に優れた顔料となる新規なキノフタロン化合物の提供。【解決手段】式(2)の化合物に置換ナフタレンジカルボン酸無水物、さらに置換フタル酸無水物を縮合させて対応するキノフタロン化合物を合成する。0005267696.tif 000028（式中、Ｒ51〜Ｒ55は、水素原子、ハロゲン原子などの基である。）【選択図】なし【図１】
0005267696.tif 000029
【図２】
0005267696.tif 000030
【図３】
0005267696.tif 000031
【図４】
0005267696.tif 000032
【図５】
0005267696.tif 000033
【図６】
0005267696.tif 000034
【図７】
0005267696.tif 000035
【図８】
0005267696.tif 000036